(57)【要約】【課題】  たとえ比較的板厚の薄い材料により受け板を形成しても、受け板の変形を確実に抑制することができ、それによって受け板のコストダウンを図ることの可能な鋼板コンクリート用支持具。【解決手段】  鋼板コンクリート用の鋼板ブロック３の厚さ方向に沿って延在する長尺状の受け板６と、受け板６の高さを調整する高さ調整機構７を備え、受け板６により鋼板ブロック３を載置支持する鋼板コンクリート用支持具であって、鋼板ブロック３の位置決め用リブ８が、受け板３の長手方向に沿って受け板３の上面に設けられている。【選択図】        図１
2007032160.tif 000002
【特許請求の範囲】
【請求項１】
鋼板コンクリート用の鋼板ブロックの厚さ方向に沿って延在する長尺状の受け板と、その受け板の高さを調整する高さ調整機構を備え、前記受け板により前記鋼板ブロックを載置支持する鋼板コンクリート用支持具であって、
前記鋼板ブロックの位置決め用リブが、前記受け板の長手方向に沿って受け板の上面に設けられている鋼板コンクリート用支持具。
【請求項２】
前記位置決め用リブが、その長手方向の両端部で前記鋼板ブロックの位置決めを行うように、前記受け板の長手方向のほぼ全長にわたって設けられている請求項１に記載の鋼板コンクリート用支持具。
【請求項３】
前記位置決め用リブが、所定の間隔を置いて前記受け板に対して一対設けられている請求項２に記載の鋼板コンクリート用支持具。
【請求項４】
前記位置決め用リブの長手方向の両端部が、前記鋼板ブロックを前記受け板上へ案内する傾斜案内面に形成されている請求項２または３に記載の鋼板コンクリート用支持具。
【発明の詳細な説明】
【技術分野】
【０００１】
本発明は、鋼板コンクリート用の鋼板ブロックの厚さ方向に沿って延在する長尺状の受け板と、その受け板の高さを調整する高さ調整機構を備え、前記受け板により前記鋼板ブロックを載置支持する鋼板コンクリート用支持具に関する。
【背景技術】
【０００２】
このような鋼板コンクリート用支持具は、鋼板コンクリート用の鋼板ブロックを所定の高さ位置で支持するためのもので、従来から種々の構成のものが提案されているが、従来公知の支持具においては、受け板に対する鋼板ブロックの位置決め用リブが、全て受け板の長手方向に直交する方向に沿って受け板の上面に設けられていた（例えば、特許文献１〜３参照）。
【０００３】
【特許文献１】特開２００１−３２５２３号公報
【特許文献２】特開２００２−９７７９１号公報
【特許文献３】特開２００２−２０１７９７号公報
【発明の開示】
【発明が解決しようとする課題】
【０００４】
したがって、従来公知の支持具では、位置決め用リブに対して鋼板ブロックの位置決め機能は期待できるものの、その他の機能についてはあまり期待することができなかった。
すなわち、鋼板ブロックの厚さ方向に沿って延在する受け板は、比較的細長い長尺状であり、しかも、重い鋼板ブロックを所定の位置に載置支持しなければならないので、長手方向に沿う撓みなどの変形を確実に防止する必要がある。
しかし、従来公知の支持具では、位置決め用リブが受け板の長手方向に直交する方向に沿っていたため、位置決め用リブによる受け板の変形防止機能についてはあまり期待することができず、そのため、かなり板厚の厚い材料により受け板を形成して、受け板の変形を防止する必要があり、それが受け板のコストアップを招く一因ともなっていた。
【０００５】
本発明は、このような従来技術の問題点に着目したもので、その目的は、たとえ比較的板厚の薄い材料により受け板を形成しても、受け板の変形を確実に抑制することができ、それによって受け板のコストダウンを図ることの可能な鋼板コンクリート用支持具を提供することにある。
【課題を解決するための手段】
【０００６】
本発明の第１の特徴構成は、鋼板コンクリート用の鋼板ブロックの厚さ方向に沿って延在する長尺状の受け板と、その受け板の高さを調整する高さ調整機構を備え、前記受け板により前記鋼板ブロックを載置支持する鋼板コンクリート用支持具であって、前記鋼板ブロックの位置決め用リブが、前記受け板の長手方向に沿って受け板の上面に設けられているところにある。
【０００７】
本発明の第１の特徴構成によれば、鋼板ブロックの位置決め用リブが、受け板の長手方向に沿って受け板の上面に設けられているので、長尺状の受け板は、鋼板ブロックの位置決め用リブによってその長手方向に補強されることになる。
したがって、たとえ比較的板厚の薄い材料により受け板を形成しても、受け板の変形は確実に抑制され、それによって受け板のコストダウンが可能となる。
【０００８】
本発明の第２の特徴構成は、前記位置決め用リブが、その長手方向の両端部で前記鋼板ブロックの位置決めを行うように、前記受け板の長手方向のほぼ全長にわたって設けられているところにある。
【０００９】
本発明の第２の特徴構成によれば、位置決め用リブが、その長手方向の両端部で鋼板ブロックの位置決めを行うように、受け板の長手方向のほぼ全長にわたって設けられているので、鋼板ブロックの位置決め用リブによる受け板の補強効果は一層確実となる。
したがって、例えば、施工現場に設置した受け板上に作業員が載ったり、あるいは、重量物を載置しても、受け板の変形は確実に抑制されるとともに、より一層薄い材料で受け板を形成することができるので一層のコストダウンが可能となる。
【００１０】
本発明の第３の特徴構成は、前記位置決め用リブが、所定の間隔を置いて前記受け板に対して一対設けられているところにある。
【００１１】
本発明の第３の特徴構成によれば、位置決め用リブが、所定の間隔を置いて受け板に対して一対設けられているので、位置決め用リブによる受け板の補強効果はさらに確実なものとなり、また、鋼板ブロックの位置決め機能も確実なものとなる。
【００１２】
本発明の第４の特徴構成は、前記位置決め用リブの長手方向の両端部が、前記鋼板ブロックを前記受け板上へ案内する傾斜案内面に形成されているところにある。
【００１３】
本発明の第４の特徴構成によれば、位置決め用リブの長手方向の両端部が、鋼板ブロックを受け板上へ案内する傾斜案内面に形成されているので、鋼板ブロックを受け板上に載置する際、鋼板ブロックを受け板の上方から下降させることにより、傾斜案内面の案内作用によって鋼板ブロックは所定の位置に確実に載置されて位置決めされる。
【発明を実施するための最良の形態】
【００１４】
本発明による鋼板コンクリート用支持具の実施の形態を図面に基づいて説明する。
鋼板コンクリートは、例えば、鋼板コンクリート構造壁を構築するためのもので、図１および図２に示すように、互いに対面する一対の鋼板１，２を備えた鋼板ブロック３を有し、その一対の鋼板１，２の間に形成されるコンクリート打設用の空間ＳにコンクリートＣを打設して構成されている。
鋼板ブロック３において、その一対の鋼板１，２の内面間には、鋼棒や鋼板などからなる多数の間隔保持部材４が配設されて溶接により接続され、その間隔保持部材４によって互いに対面する鋼板１，２の内側にコンクリート打設用の空間Ｓが確保され、さらに、各鋼板１，２の内面には、多数の頭付きスタッド５がそれぞれ突設されている。
【００１５】
このような鋼板ブロック３は、工場などにおいて予め作製され、施工現場において所定の位置に配置されて互いに連結されるものであり、その配置のために使用されるのが、鋼板コンクリート用支持具である。
鋼板コンクリート用支持具は、図３および図４にも示すように、鋼板ブロック３を載置支持するための受け板６と、その受け板６の高さを調整する一対の高さ調整機構７を備えている。受け板６は、鋼板ブロック３の厚さ方向に沿って延在するように長尺状に形成され、その長尺状の受け板６の上面には、所定の間隔を置いて受け板６の長手方向に沿う一対の位置決め用リブ８が溶接により固着されて設けられている。
【００１６】
この一対の位置決め用リブ８は、その長手方向の両端部で鋼板ブロック３の位置決めを行うように構成され、そのため、受け板６の長手方向のほぼ全長にわたって、より詳細には、後に詳しく説明するように、鋼板ブロック３を構成する鋼板１，２の載置部分を残して、ほぼ全長にわたって配置され、各位置決め用リブ８の両端部は、上方側ほど内側に位置するように傾斜状に切り欠かれて傾斜案内面９に形成されている。
そして、高さ調整機構７は、躯体内に埋め込み設置されるナット部材１０と、そのナット部材１０に螺合する頭付きボルト１１により構成されている。
【００１７】
つぎに、鋼板コンクリート用支持具により鋼板ブロック３を支持して、鋼板コンクリートを構築する方法について説明する。
まず、図１に示すように、鋼板コンクリート用の鋼板ブロック３の設置場所に高さ調整機構７のナット部材１０を埋め込み設置し、各ナット部材１０に頭付きボルト１１を螺合し、各頭付きボルト１１上面のレベル出しを行う。
レベル出しが完了した後、一対の頭付きボルト１１の上面にわたって受け板６を載置し、ボルト１１の頭部と受け板６とを溶接して、一対の高さ調整機構７に対して受け板６を固定する。
【００１８】
そして、例えば、一対の受け板６間にわたって鋼板ブロック３を載置するのであり、鋼板ブロック３の載置に際しては、受け板６の上方から鋼板ブロック３を下降させる。
すると、各受け板６の上面に設けられた一対の位置決め用リブ８の両端部が、上方側ほど内側に位置する傾斜案内面９に形成されているので、鋼板ブロック３の鋼板１，２は、その傾斜案内面９の案内作用によって各受け板６の端部近くの所定位置に案内されて載置され、鋼板ブロック３が所定の位置に位置決めされる。
その後、鋼板ブロック３どうしを互いに連結し、例えば、受け板６の下面までコンクリートＣを打設し、さらに、各鋼板ブロック３のコンクリート打設用の空間ＳにコンクリートＣを打設することにより、鋼板コンクリートによる構造壁が構築される。
【００１９】
〔別実施形態〕
（１）先の実施形態では、受け板６の上面に位置決め用リブ８を溶接により固着した例を示したが、受け板６と位置決め用リブ８を同じ板状材料から形成することもできる。
例えば、図５の（イ）に示すように、同じ１枚の板状材料から受け板６と位置決め用リブ８を切り出して、位置決め用リブ８を上方へ折曲して設けることもでき、また、図５の（ロ）に示すように、受け板６の一部から位置決め用リブ８を切り出して、位置決め用リブ８を上方へ折曲して設けることもできる。
【００２０】
（２）これまでの実施形態では、ひとつの受け板６に対して位置決め用リブ８を一対設けた例を示したが、ひとつの受け板６に対して位置決め用リブ８をひとつだけ設けることも、また、３つ以上設けることもできる。
さらに、これまでの実施形態では、受け板６の長手方向のほぼ全長にわたって位置決め用リブ８を設けた例を示したが、位置決め用リブ８は、必ずしも受け板６の長手方向のほぼ全長にわたって設ける必要はなく、例えば、受け板６の長手方向の両端部近くにのみ設けることもでき、また、位置決め用リブ８の両端部は、必ずしも傾斜案内面９に形成する必要はない。
【図面の簡単な説明】
【００２１】
【図１】鋼板コンクリート構造壁の構築過程を示す断面図
【図２】鋼板コンクリート構造壁の構築過程を示す断面図
【図３】鋼板コンクリート用支持具の平面図
【図４】鋼板コンクリート用支持具の斜視図
【図５】別の実施形態による鋼板コンクリート用支持具の斜視図
【符号の説明】
【００２２】
３      鋼板ブロック
６      受け板
７      高さ調整機構
８      位置決め用リブ
９      傾斜案内面
【図１】
2007032160.tif 000003
【図２】
2007032160.tif 000004
【図３】
2007032160.tif 000005
【図４】
2007032160.tif 000006
【図５】
2007032160.tif 000007